(57)【要約】ハーネス（１１）およびポーチ（２６）を含む医療用チューブホルダ（１０）である。このハーネスは、フロントパネルの上部をバックパネルの上部に連結する２本の肩紐（１６ａ，１６ｂ）を有するフロントパネル（１２）およびバックパネル（１４）と、肩紐の間に頭部開口部（１８）とを含む。バックパネルの下部は接続機構（２２）の第１部分を含み、またフロントパネルの下部は２本の横方向に延在するストラップ（２０ａ，２０ｂ）を含む。この２本の横方向に延在するストラップは、接続機構の第２部分を成しており、ポーチは、横方向に延在するストラップの一方に接続されている。【選択図】図２
2018526140.tif 000002
【特許請求の範囲】
【請求項１】
ハーネスおよびポーチを含む医療用チューブホルダであって、前記ハーネスは、フロントパネルの上部をバックパネルの上部に連結する２本の肩紐を有するフロントパネルおよびバックパネルと、前記肩紐の間に頭部開口部とを含み、前記バックパネルの下部は接続機構の第１部分を含み、また前記フロントパネルの下部は２本の横方向に延在するストラップを含み、前記２本の横方向に延在するストラップは、前記接続機構の第２部分を成しており、前記ポーチは、前記横方向に延在するストラップの一方に接続されている、医療用チューブホルダ。
【請求項２】
請求項１に記載のホルダであって、前記ポーチはライナーを含む、ホルダ。
【請求項３】
請求項１または２に記載のホルダであって、前記ポーチは、前記横方向に延在するストラップの一方に取り外し可能に接続されている、ホルダ。
【請求項４】
請求項１〜３のいずれか一項に記載のホルダであって、前記接続機構の第１部分は、前記横方向に延在するストラップを通すことができる、１つ以上のほぼ垂直なスリットを含む、ホルダ。
【請求項５】
請求項１〜４のいずれか一項に記載のホルダであって、前記バックパネルの下部はフラップを含み、前記フラップを前記接続機構の第１部分上に折り畳むことで、続いて前記接続機構の第１部分を係合する際に、前記横方向に延在するストラップを挟むことができる、ホルダ。
【請求項６】
請求項５に記載のホルダであって、前記ストラップおよび／またはフラップは、取り外し可能な保持接続を含む、ホルダ。
【請求項７】
請求項６に記載のホルダであって、前記取り外し可能な保持接続は、フック・アンド・アイファスナ、ポッパー、およびボタンを含むグループから選択された１つ以上の保持接続を含む、ホルダ。
【請求項８】
請求項１〜７のいずれか一項に記載のホルダであって、前記ホルダは、ポリエステルワープスペーサ織物、紙、および竹糸を含むグループから選択された少なくとも１つの抗菌性および／または抗微生物性材料を含む、ホルダ。
【発明の詳細な説明】
【技術分野】
【０００１】
本発明は、医療用チューブホルダに関するものであり、特に、長期チューブを移植された患者に使用するためのものである。
【背景技術】
【０００２】
患者に医療用チューブを移植し、該チューブの一端部を患者から突出させることは、よく知られている。例えば、中心静脈アクセスカテーテル（「中心ライン」）および、特に、所謂「ヒックマンライン」は、長期間に亘り患者に装着する必要がある場合が多い。これらのラインは、薬または流体を投与し、検査のために患者から血液を採取するのに頻繁に使用される。中心ラインは、一度に数か月に亘り留置される場合もある。
【０００３】
このような中心ラインは、中心ラインを通じた細菌の侵入による血流感染を含む様々な複雑性を有しており、これは、特に、化学療法の結果として免疫不全となったガン患者に危害を加え得る。
【０００４】
細菌感染のリスクは、特に、中心ラインを清潔に保つよう気を付ける傾向がより少ない幼児および子供の間で流行している。更に、若い患者は、例えば、中心ラインを物体に引っ掛けるか、または中心ラインを引っ張ることによって中心ラインを機械的に損傷する傾向がより強い。
【０００５】
患者から突出する医療用チューブを長期間に亘り移植された動物にも同様に当てはまる。
【０００６】
以前には、例えば医療用テープを使用してチューブの端部を患者の肌に固定する方法が知られていたが、チューブの端部は細菌に曝露されたままであり、テープによる炎症が起きることで患者がテープを掻くことによって、チューブおよび患者への機械的損傷のリスクを増加させる。
【発明の概要】
【０００７】
従って、本発明は、ハーネスおよびポーチを含む医療用チューブホルダに関するものであり、このハーネスは、フロントパネルの上部をバックパネルの上部に連結する２本の肩紐を有するフロントパネルおよびバックパネルと、肩紐の間に頭部開口部と、を含む。バックパネルの下部は接続機構の第１部分を含み、またフロントパネルの下部は２本の横方向に延在するストラップを含み、この２本の横方向に延在するストラップは、接続機構の第２部分を成しており、ポーチは、横方向に延在するストラップの一方に接続されている。
【０００８】
患者にポーチを有するハーネスを提供することによって、例えば中心ライン等の医療用チューブの端部用の、着用可能な簡便な収納場所を患者に提供する。従って、このようなハーネスにより、患者と共に移動する突出した医療用チューブの端部を収納するのに安全かつ確実な方法を提供する。
【０００９】
横方向に延在するストラップを使用することにより、装置を患者に固定し、かつ装置が患者の胴体に対して移動する可能性を減少させる。これは、患者が睡眠中に特に役立つ。肩紐と組み合わせた横方向に延在するストラップも患者に対するチューブの縦方向への移動を減少させる。更に、横方向に延在するストラップにより、アイテムを取り付けることができる簡便な場所を提供する。
【００１０】
バックファスニングのハーネスにおける利点として、ハーネスを取り外す傾向がある幼い子供にとって、接続機構を解除し、ハーネスを取り外すのがより困難となる点が挙げられる。従って、医療用チューブの端部は、子供が最初に医療用チューブの端部を取り外すことなく装置を取り外すリスクを減らしつつポーチに収納することができ、それによって機械的損傷のリスクを減少させる。
【００１１】
ポーチはライナーを含むことが好ましい。ライナー、特に抗菌性および抗微生物性である取り外し可能なライナーを使用することで、チューブの端部をライナーで包囲することができ、チューブの端部が潜在的に有害な細菌に曝露されるリスクを減少させることができる。更に、ライナーがポーチから取り外し可能である場合、ラインの端部は、ライナーをポケットから取り外すことによって迅速に配置することができ、これは特に緊急事態において役立つ。更に、ライナーは使い捨て可能であってもよく、使用後に容易に取り替えることができ、それによって更に感染のリスクを低下させる。
【００１２】
有利には、ポーチは、横方向に延在するストラップの一方に取り外し可能に連結されている。横方向に延在するストラップの一方に配置されるポーチは、チューブの端部の収納に便利な場所を提供する。ポーチは、ストラップを通すことができるループを含んでもよく、または多数の接続手段のうちの１つ、例えば、フック・アンド・アイファスナ、スナップファスナまたはジッパー機構を含むことができる。ポーチを取り外し可能とすることにより、必要時にはポーチを取り替えるおよび／または洗濯することができる。更に、患者のどちらの側面にも着用可能である故、例えば睡眠中にポーチが不快である場合にはポーチを移動させることができる。
【００１３】
一配置では、接続機構の第１部分は、横方向に延在するストラップを通すことができる１つ以上の開口部またはほぼ垂直なスリットを含む。バックパネルの下部にスリットを使用することで、横方向に延在するストラップをバックパネルに固定するのに簡素な機構を提供する。横方向に延在するストラップを通すことができるループをバックパネルに適用可能であることが想定されるが、バックパネル自体およびその中の開口部を使用することで、パーツの数を減らし、バックパネルおよび接続機構に同一の材料を使用可能とすることによって、更なるパーツを取り付ける必要性を低減させることができる。これにより、縫目を減らし、硬いプラスチックのパーツを不要とした故、特にユーザの睡眠時に、ハーネスの快適性が増加した。
【００１４】
有利には、バックパネルの下部はフラップを含み、このフラップを接続機構の第１部分上に折り畳むことで、続いて接続機構の第１部分を係合する際に、横方向に延在するストラップを挟むことができる。
【００１５】
横方向に延在するストラップおよび／またはフラップは、取り外し可能な保持接続を含むことが更に有利である。好適には、この取り外し可能な保持接続は、フック・アンド・アイファスナ、ポッパー、およびボタンを含むグループから選択された１つ以上の保持接続を含む。横方向に延在するストラップがバックパネルを通過する場所を被覆するのにフラップを使用することで、機構が解除されるリスクを低下させる。これは、フラップにフック・アンド・アイ接続システムの一方のパーツも設けられており、かつバックパネルおよび／または横方向に延在するストラップの裏面にそのような接続システムの他方のパーツも設けられている場合に特に当てはまる。
【００１６】
ホルダは、ポリエステルワープスペーサ織物、紙、および竹糸を含むグループから選択された少なくとも１つの抗菌性および／または抗微生物性材料を含むことが好ましい。装置は、元来、抗菌性および／または抗微生物性を有する材料または抗菌性および／または抗微生物性を有するように処理された材料から製造することができる。
【００１７】
本発明は、本明細書に記載の装置の使用方法にも及ぶ。
【００１８】
次に、単なる例示として、添付図面を参照して本発明の一実施形態を説明する。
【図面の簡単な説明】
【００１９】
【図１】本発明による、組み立て前の装置の説明図である。
【図２】組立状態にある図１の装置の斜視図である。
【図３】図２の装置の背面図である。
【図４】図２の装置の側面図である。
【図５】図２の装置の第２の斜視図である。
【図６】図２の装置の正面図である。
【発明を実施するための形態】
【００２０】
図１〜図６は、ハーネス１１の形態の医療用チューブホルダ１０を示す。ハーネス１１は、各パネル１２および１４の頂部を連結する肩紐１６ａおよび１６ｂを有するフロントパネル１２およびバックパネル１４を含む。２本の肩紐１６とフロントパネル１２およびバックパネル１４との間に頭部開口部１８を形成する。
【００２１】
フロントパネル１２の下部には、フロントパネル１２にほぼ垂直（角度は可変）に延在しており、かつ使用時には、患者の胴体の周囲を横方向に延在する２本の横方向に延在するストラップ２０ａおよび２０ｂを接続する。２本の横方向に延在するストラップ２０ａおよび２０ｂの端部には、一端部にフック材料の一部と、他端にアイ材料の一部とを含むことによりフック・アンド・アイ接続の２つのパーツを構成する接続材料２２を設ける。ストラップ２０がフロントパネル１２に連結する場所に凹部２１を配置する。
【００２２】
バックパネル１４の下部には、バックパネル１４の中心の各側に２本ずつ対にして配置された４本のスリット２４を設ける。
【００２３】
ループ部分２８および受容ポケット３０を含むポーチ２６を設け、ストラップ２０ｂがポーチ２６のループ部分２８を通るように、一方のストラップ２０ｂに装着する。ポケット３０には、取り外し可能かつ使い捨て可能なライナー（図示せず）を設ける。ライナーの端部は、ポケット３０から延在させることで、ポケット３０からライナーを引っ張り、チューブの端部を露出させることによって、チューブの端部への迅速なアクセスを可能としてもよい。
【００２４】
使用時には、頭部開口部１８にユーザの頭部を通して、肩紐１６がユーザの肩上に休止するようにする。続いて、横方向に延在するストラップ２０をユーザの側面の周囲に通す。各ストラップ２０の端部をそれぞれに通し、それらを（着用時）矢状にバックパネルの中間により近いスリットである第１のスリット２４に通過させる。続いて、ストラップ２０の端部をそれぞれの隣接する第２スリット２４に通し、その上に重ねる。接続材料２２のフック部分を接続材料２２のアイ材料上にプレスし、ストラップ２０を固定する。フラップ（図示せず）を採用する場合、フラップをスリット２４の頂部上に重ねて、ストラップ２０を更に固定し、ストラップ２０がバックパネル１４から係合解除されるリスクを低下させる。装置１０の着用時には、接続システム（ストラップ２０およびスリット２４）は、ユーザの後部に配置する。
【００２５】
続いて、ユーザから延在するチューブの端部は、ポーチ２６に収納することができる。更に、チューブを凹部２１に通過させて、チューブを固定し、縦方向への移動のリスクを低下させるのを支援することができる。
【００２６】
ポーチライナーおよび／または抗菌ウェットティッシュを保持するために、装置に第２のポーチを接続することができる。その他のポーチおよび／またはポケットを設けてもよい。
【００２７】
ハーネスは、紙材料を含み、使い捨て可能であってもよい。あるいは、装置を織物から製造し、長期間使用するために洗濯可能としてもよい。
【図１】
2018526140.tif 000003
【図２】
2018526140.tif 000004
【図３】
2018526140.tif 000005
【図４】
2018526140.tif 000006
【図５】
2018526140.tif 000007
【図６】
2018526140.tif 000008
【国際調査報告】
2018526140.tif 000009
2018526140.tif 000010
2018526140.tif 000011